(57)【特許請求の範囲】
【請求項１】
第一のネットワークに属する管理装置と、第二のネットワークに属する、前記管理装置から通信可能な第一のネットワーク機器と、その他の第二のネットワーク機器と、を備えるネットワークシステムであって、
前記管理装置は、前記ネットワーク機器の設定情報を収集するための探索命令パケットと、前記ネットワーク機器の設定情報を変更するための変更命令パケットとを作成し、それぞれ前記第一のネットワーク機器へ送信する手段を有し、
前記第一のネットワーク機器は、前記探索命令パケットを受けて設定情報を返信させるための探索パケットと、前記変更命令パケットを受けて設定情報を変更させるための変更パケットとを作成し、それぞれ前記第二のネットワーク機器へ送信する手段を有し、
前記第二のネットワーク機器は、前記探索パケットを受けて自身の設定情報である設定情報パケットと作成するとともに、前記変更パケットを受けて自身の設定情報を変更し、変更完了を通知するための設定完了通知パケットとを作成し、それぞれ前記第一のネットワーク機器へ送信する手段を有することを特徴とするネットワークシステム。
【請求項２】
第一のネットワークに属する管理装置と、第二のネットワークに属する第一のネットワーク機器および第二のネットワーク機器を備えるネットワークシステムにおいて、
前記管理装置が、前記第一のネットワーク機器に探索要求を送信する過程と、
前記第一のネットワーク機器が、探索要求を受信すると、前記第二のネットワークに属する前記第二のネットワーク機器に対して探索パケットを同報送信する過程と、
前記第二のネットワーク機器が、探索パケットを受信すると、少なくとも機器情報とＩＰアドレスとＭＡＣアドレスを含む設定情報を前記第一のネットワーク機器へ送信する過程と、
前記第一のネットワーク機器が、前記第二のネットワーク機器から前記設定情報を受信すると、その都度もしくは纏めて前記管理装置へ送信する過程と、
前記管理装置が、受信した前記設定情報をモニタに表示する過程と、
前記管理装置が、オペレータによる操作もしくは自動で、変更対象となった前記第二のネットワーク機器の前記設定情報を変更するための変更要求を前記第一のネットワーク機器へ送信する過程と、
前記第一のネットワーク機器が、自身に対する変更要求であれば自身の前記設定情報を変更し、前記第二のネットワーク機器に対する変更要求であれば前記第二のネットワーク機器へ変更パケットを送信する過程と、
前記第二のネットワーク機器が、前記変更パケットを受信すると、その変更内容に従って自身の前記設定情報を変更し、変更完了通知パケットを前記第一のネットワーク機器へと送信する過程と、
前記第一のネットワーク機器が、前記第二のネットワーク機器の変更結果を、その都度もしくは纏めて前記管理装置へ送信する過程と、を有するネットワーク情報設定方法。
【請求項３】
前記第一のネットワークと、前記第二のネットワークは、サブネットが互いに異なり、
前記第一のネットワーク機器が同報送信する前記探索パケットは、宛先ＭＡＣアドレスにブロードキャストアドレス又はマルチキャストアドレスを指定したものであり、
前記管理装置が送信する前記変更要求は、変更対象となった前記第二のネットワーク機器のＭＡＣアドレスを含むものであり、
第一のネットワーク機器が前記第二のネットワーク機器へ送信する変更パケットは、該ＭＡＣアドレスを指定して送信され、
前記第二のネットワーク機器は、前記変更パケットを受信してから、前記変更完了通知パケットを送信するまでの間隔を、その都度ランダムに設定することを特徴とする請求項２記載のネットワーク情報設定方法。
【発明の詳細な説明】
【技術分野】
【０００１】
本発明は、ネットワーク端末機器に必要な各種情報の設定に関し、例えば、パーソナルコンピュータ（ＰＣ）等の管理端末において、ＩＰ（Internet Protocol）アドレス等の各種情報の一元設定やネットワーク端末機器の増設時などの場合における全体管理を簡単化するネットワークシステムに関する。
【背景技術】
【０００２】
画像監視システムは、ホテルやビル、コンビニエンスストア金融機関、ダムまたは道路等といった様々な公共施設等において、犯罪抑止や事故防止等の目的で設置されている。一般的な画像監視システムでは、カメラ等で監視対象エリアを撮像し、ネットワーク等を介し撮像された画像を管理事務所や警備室等の監視センタに伝送し、監視者が、伝送されてくる画像により監視対象を監視し、目的や必要に応じて注意や警告をしたり、画像を画像記録装置に記録・保存したりしている。
【０００３】
この様な監視システムの場合、監視区域ごとにネットワークセグメント（サブネット）を構築し、通信する形態がとられることが多い。
【０００４】
図４を用いて、従来のネットワーク映像監視システムについて説明する。
２０は複数のネットワーク監視機器を含むサブネット（１９２．１６８．０．０／２４）、２１は他のネットワーク監視機器を含むサブネット（１９２．１６８．２．０／２４）、２０１，２０２〜２ｎはサブネット２０に属するカメラ等のネットワーク機器、２０３は複数のネットワークを備えるネットワーク網、２０４はサブネット２０，２１とは別のサブネット（１９２．１６８．１．０／２４）に属するＰＣ等の管理端末（ＩＰアドレス：１９２．１６８．１．１／２４）、２１０は管理端末２０４に表示されるネットワーク機器の設定情報である。ネットワーク機器には、カメラやモニタ、記録装置、変換装置等様々なものがあるが、それぞれの機能や動作は異なってもネットワーク機器として通信する目的では同一とみなすことができるため、以降、ホストとしてのネットワーク機器として一纏めにして説明する。
【０００５】
管理端末２０４は、サブネット２０に属するネットワーク機器２０２〜２ｎと通信しデータのやり取りをするために、ネットワーク機器２０２〜２ｎのＩＰアドレスを指定してパケットを送信する必要がある。
【０００６】
しかし、同一サブネット内であれば、探索パケットをブロードキャストで送信し、各ネットワーク機器からＩＰアドレス等の情報を取得することができるが、通信対象が異なるサブネットに接続され、これらのサブネットがルータ等のネットワーク中継装置を介して接続されている場合には、管理端末２０４からのブロードキャストの探索パケットがネットワーク中継装置を通過できないため、サブネット２０に属するネットワーク機器２０２〜２ｎのＩＰアドレスや等の情報を取得することも割り当てることもできない。また、管理端末２０４と異なるサブネットにカメラ等のネットワーク機器を増設、交換する際や、初期のネットワークの構築の際にも、管理端末２０４からそれぞれのネットワーク機器にＩＰアドレスを割り当てることや、ネットワーク機器のＩＰアドレスやＭＡＣ（Media Access Control）アドレス等を知ることができない。また、ネットワーク機器生産時には同一機種には一律のＩＰアドレスが初期設定されているため、機器をネットワーク上から独立させて設定する必要がある。
【０００７】
また、既設のネットワーク映像監視システムのネットワーク機器を交換する際に、手動で設定するＩＰアドレスの設定を誤ったり、ＤＨＣＰ（Dynamic Host Configuration Protocol）等を利用して自動割り当てされるＩＰアドレスが誤っていたりして、ＩＰアドレスが重複してしまうことがある。このとき、ＩＰアドレスが重複したネットワーク機器に対して、外部からの通信が不可能になる。この様な場合には、ＩＰアドレスの重複したネットワーク機器の設置してある現場に出向き、再設定や設定初期化しなければならない。場合によってはネットワーク機器を取り外してリセット作業を伴う場合もある。
【０００８】
いずれにしても、機器毎に固有の設定が必要であることから、例えば単に２つのＩＰアドレスを入れ替えたいだけの場合であっても各端末に接続して各種の情報の変更を行う必要がある。
【０００９】
なお、従来技術として、同一サブネット内のネットワーク機器において、ＩＰアドレスが重複しているネットワーク機器や、アクセスが不能なネットワーク機器に対して、情報処理装置により適正なＩＰアドレスを割り当てる手法が提供されている（特許文献１を参照）。
【先行技術文献】
【特許文献】
【００１０】
【特許文献１】特開２０１０−０２８６０４号公報
【発明の概要】
【発明が解決しようとする課題】
【００１１】
以上のことから、ネットワーク端末機器の台数が非常に多くなるとシステム全体のＩＰアドレス情報やネットワーク機器の各種情報の管理が困難になるという問題があった。
本発明は、このような従来の事情に鑑み為されたもので、例えば、管理端末において、各種情報の一元設定やネットワーク端末機器の増設時等の場合における全体管理を簡単化することができるネットワークシステムを提供することを目的とする。
【課題を解決するための手段】
【００１２】
本発明のネットワークシステムは、第一のネットワークに属する管理装置と、第二のネットワークに属する、前記管理装置から通信可能な第一のネットワーク機器と、その他の第二のネットワーク機器と、を備えるネットワークシステムであって、前記管理端末は、前記ネットワーク機器の設定情報を収集するための探索命令パケットと、前記ネットワーク機器の設定情報を変更するための変更命令パケットとを作成し、前記第一のネットワーク機器へ送信する手段を有し、前記第一のネットワーク機器は、前記探索命令パケットを受けて設定情報を返信させるための探索パケットと、前記変更命令パケットを受けて設定情報を変更させるための変更パケットとを作成し、前記第二のネットワーク機器へ送信する手段を有し、前記第二のネットワーク機器は、前記探索パケットを受けて自身の設定情報である設定情報パケットと、前記変更パケットを受けて自身の設定情報を変更し、変更完了を通知するための設定完了通知パケットとを作成し、前記第一のネットワーク機器へ送信する手段を有することを特徴とする。
【００１３】
また、本発明のネットワーク情報設定方法は、第一のネットワークに属する管理装置と、第二のネットワークに属する第一のネットワーク機器および第二のネットワーク機器を備えるネットワークシステムにおいて、前記管理装置は前記第一のネットワーク機器に探索要求を送信し、前記第一のネットワーク機器は、探索要求を受信すると、前記第二のネットワークに属する前記第二のネットワーク機器に対して探索パケットを同報送信し、前記第二のネットワーク機器は、探索パケットを受信すると、少なくとも機器情報とＩＰアドレスとＭＡＣアドレスを含む設定情報を前記第一のネットワーク機器へ送信し、前記第一のネットワーク機器は、前記第二のネットワーク機器から前記設定情報を受信すると、その都度もしくは纏めて前記管理装置へ送信することを特徴とする。
【００１４】
また、本発明のネットワーク情報設定方法は、さらに、前記管理装置は、受信した前記設定情報をモニタに表示し、オペレータによる操作もしくは自動で、前記ネットワーク機器の前記設定情報を変更するための変更要求を前記第一のネットワーク機器へ送信し、前記第一のネットワーク機器は、自身に対する変更要求であれば自身の前記設定情報を変更し、前記第二のネットワーク機器に対する変更要求であれば前記第二のネットワーク機器へ変更パケットを送信し、前記第二のネットワーク機器は、変更パケットを受信すると、その変更内容に従って自身の前記設定情報を変更し、変更完了通知パケットを前記第一のネットワーク機器へと送信し、前記第一のネットワーク機器は、前記ネットワーク機器の変更結果を、その都度もしくは纏めて前記管理装置へ送信することを特徴とする。
【００１５】
また、本発明のネットワークシステムは、第一のネットワークに属する管理装置と、第二のネットワークに属する、前記管理装置から通信可能な第一のネットワーク機器と、その他の第二のネットワーク機器と、を備えるネットワークシステムであって、前記管理装置は、前記第一のネットワーク機器を介して、前記第二のネットワーク機器の設定情報を収集し、変更することを特徴とする。
【００１６】
また、本発明のネットワーク機器は、外部より探索要求を受信すると、少なくとも機器情報とＩＰアドレスとＭＡＣアドレスを含む設定情報を返信する様に同一ネットワーク内の機器へ探索パケットを一斉に送信し、受信した前記設定情報を随時もしくは纏めて探索要求元の機器へ送信することを特徴とする。
【００１７】
また、本発明のネットワーク情報設定方法は、第一のネットワークに属する管理装置と、第二のネットワークに属する第一のネットワーク機器および第二のネットワーク機器を備えるネットワークシステムにおいて、前記管理装置は、前記第一のネットワーク機器を介して、前記第二のネットワーク機器の設定情報を収集し、変更することを特徴とする。
【発明の効果】
【００１８】
したがって本発明によれば、例えば、管理端末において、各種情報の一元設定やネットワーク端末機器の増設時等の場合における全体管理を簡単化することができる。
【図面の簡単な説明】
【００１９】
【図１】本発明のネットワーク映像監視システムの全体構成の一例を示すブロック図である。
【図２】本発明のネットワーク映像監視システムにおけるシステム構築のための信号のやり取りを示す図である。
【図３】本発明のネットワーク映像監視システムにおけるシステム構築のフローチャート図である。
【図４】従来のネットワーク映像監視システムの全体構成の一例を示すブロック図である。
【発明を実施するための形態】
【００２０】
以下、図面を参照して本発明の実施形態について詳細に説明する。  
図１は、本発明のネットワーク映像監視システムの全体構成の一例を示すブロック図である。
図２は、本発明のネットワーク映像監視システムにおけるシステム構築のための信号のやり取りを示す図である。
図３は、本発明のネットワーク映像監視システムにおけるシステム構築のフローチャート図である。
【００２１】
１０は複数のネットワーク監視機器を含むサブネット（１９２．１６８．０．０／２４）、１１は他のネットワーク監視機器を含むサブネット（１９２．１６８．２．０／２４）、１０１，１０２〜１ｎはサブネット１０に属するカメラ等のネットワーク機器、１０３は複数のネットワークを備えるネットワーク網、１０４はサブネット１０，１１とは別のサブネット（１９２．１６８．１．０／２４）に属するＰＣ等の管理端末（ＩＰアドレス：１９２．１６８．１．１／２４）、１１０は管理端末１０４に表示されるネットワーク機器の設定情報である。ネットワーク網１０３が備える複数のネットワークはルータ等の接続装置で接続されるが、ここでは記載を省略する。ここで、ネットワーク機器１０１，１０２〜１ｎの内、ネットワーク機器１０１についてはそのＩＰアドレス等の設定情報が判明しており、管理端末１０４と通信可能であることとする。また、以降に登場するそれぞれの指令パケット（Ａ，Ｂ，Ｃ，Ｄ，Ｅ，Ｆ，Ｇ，Ｈ）はシリーズ機器独自のデータフォーマットで構成され、受信したネットワーク機器は独自のデータフォーマットを解釈することで、それぞれのコマンドに対応して処理を実行することができることとする。
【００２２】
ネットワークを新規に構築する際、まず、管理端末１０４はＩＰアドレス等の設定情報を探索させるための探索命令パケット（Ａ）を作成し、ＩＰアドレス等の設定情報がわかっているネットワーク機器１０１へ送信する（Ｓ１）。
【００２３】
ネットワーク機器１０１は、探索命令パケットを受信すると、受信パケット内のコマンドをチェックし、自身のサポートするデータフォーマットであることを確認し、各ネットワーク機器のＭＡＣアドレス、ＩＰアドレス、サブネットマスク、ゲートウェイアドレス等の設定情報を返信させるための探索パケット（Ｂ）を作成し、サブネット１０内のネットワーク機器１０２〜１ｎに向けてブロードキャストまたはマルチキャストで送信する（Ｓ２）。このとき、ブロードキャストであれば、宛先ＭＡＣアドレスを「ＦＦ−ＦＦ−ＦＦ−ＦＦ−ＦＦ−ＦＦ」として送信し、マルチキャストであれば、宛先ＭＡＣアドレスの最初の２４ビットを「０１−００−５Ｅ」とし、その後に続く１ビットを０として送信することで、自身の属するサブネット内の全ての機器にパケットが送信される。
【００２４】
各ネットワーク機器１０２〜１ｎは、ネットワーク機器１０１から送信された探索パケットを受信すると、受信パケット内のコマンドをチェックし、自身のサポートするデータフォーマットであることを確認し、自らの設定情報（ＭＡＣアドレス、ＩＰアドレス、サブネットマスク、ゲートウェイアドレス等）を格納した応答パケット（Ｃ）を作成し、ブロードキャストまたはマルチキャスト若しくはネットワーク機器１０１に向けてユニキャスト（宛先ＩＰアドレス：１９２．１６８．０．１／２４）で返信する（Ｓ３）。なお、設定情報は機器によって異ならせても良く、また、製品型式やバージョン、画像データフォーマットやフレームレート等の情報も送信する様にしても良い。
【００２５】
このとき、ネットワーク機器１０２〜１ｎの探索パケット（Ｂ）を受信してから応答パケット（Ｃ）を返信する間隔は、ランダムな期間がその都度設定されるのが好ましい。これは、ネットワーク機器の数が多いほど返信されるパケット数が増え、それぞれが同じタイミングでパケットを送出するとコリジョンが発生して多くのパケットが破棄されてしまうため、各機器の応答パケット（Ｃ）の送信タイミングをずらすことでコリジョンの発生を防ぐことを目的としている。
【００２６】
また、ネットワーク機器１０２〜１ｎの探索パケット（Ｂ）を受信してから応答パケット（Ｃ）を返信する間隔の下限値を設定しておき、探索パケット（Ｂ）を下限値に満たない間隔で受信した場合には応答パケット（Ｃ）を返信しない様にすることが好ましい。これにより、例えば誤動作により探索パケット（Ｂ）が乱発された場合に、ネットワークへの負荷を抑えることができ、コリジョンの発生を防ぐことができる。
【００２７】
ネットワーク機器１０２〜１ｎから応答パケット（Ｃ）がブロードキャストまたはマルチキャストで送信された場合、サブネット１０内の送信した端末以外のネットワーク機器が応答パケット（Ｃ）を受信するが、ネットワーク機器１０１は応答パケット（Ｃ）を受信、ネットワーク機器１０１以外の機器はこれを破棄する。
【００２８】
ネットワーク機器１０２〜１ｎから応答パケット（Ｃ）がユニキャストで送信された場合、ネットワーク機器１０１のみに到達し、受信する。
【００２９】
ネットワーク機器１０１は、応答パケット（Ｃ）を受信すると、受信パケットの内容をチェックし、自身のサポートするデータフォーマットであることを確認し、設定情報を取り出して設定情報を通知する設定情報パケット（Ｄ）を作成し、管理端末１０４に向けて送信する（Ｓ４）。このとき、設定情報パケット（Ｄ）を作成して送信するタイミングとして、機器１台分ごと、所定数分集まったら、全ての機器分集まったら、所定時間ごと、所定時間経過したら等、任意に設定することができる。
【００３０】
管理端末１０４は、設定情報パケット（Ｄ）を受信すると、受信パケットの内容をチェックし、自身のサポートするデータフォーマットであることを確認し、各設定情報を取り出して自身のモニタに表示する。設定情報は、例えば１１０の様に、ＭＡＣアドレス、ＩＰアドレス、機器の種類（Ｔｙｐｅ）とそれぞれに対応するセットアップボタン（ＳＥＴＵＰ）がモニタに表示される。ここで、例えば「ＣＡＭ」はカメラ、「ＲＥＣ」は記録装置を意味する。このとき、注目すべき情報（例えば、ＩＰアドレスの重複、機器の異常・破損等）を、赤枠で囲む等、視覚的に目立つように表示させる様にしても良い。
【００３１】
本実施例では、ネットワーク機器１０２とネットワーク機器１ｎのＩＰアドレスが「１９２．１６８．０．１００」と重複しており、いずれかのＩＰアドレスを変更する必要がある。そこで、オペレータは管理端末１０４に付属するマウスやキーボード（図示せず）を用いて、変更したい項目、ここではネットワーク機器１０２のＩＰアドレスを例えば「１９２．１６８．０．２」と入力し、対応するセットアップボタンを押下する。これにより、管理端末１０４内で、設定情報を変更するための変更命令パケット（Ｅ）が作成され、ネットワーク機器１０１に向けて送信される（Ｓ５）。このとき変更命令パケット（Ｅ）には、少なくとも変更対象であるネットワーク機器１０２の変更ＩＰアドレスとＭＡＣアドレス情報が含まれている。
【００３２】
ネットワーク機器１０１は、変更命令パケット（Ｅ）を受信すると、受信パケット内のコマンドをチェックし、自身のサポートするデータフォーマットであることを確認し、変更パケット（Ｆ）を作成して、ネットワーク機器１０２へ送信する（Ｓ６）。このとき、ＩＰアドレスが重複しているためにＩＰアドレスを指定して送信することができず、ＭＡＣアドレスを指定してデータリンク層の通信を用いて送信する。
【００３３】
ネットワーク機器１０２は、変更パケット（Ｆ）を受信すると、受信パケットの内容をチェックし、自身のサポートするデータフォーマットであることを確認し、自身のＩＰアドレスを「１９２．１６８．０．２」に変更し、設定情報の変更が完了したことを通知する変更完了パケット（Ｇ）を作成し、ネットワーク機器１０１に送信する。ここでも、変更完了パケット（Ｇ）の返信間隔は、ランダムな期間がその都度設定される様にしても良い。
【００３４】
ネットワーク機器１０１は、変更完了パケット（Ｇ）を受信すると、受信パケットの内容をチェックし、自身のサポートするデータフォーマットであることを確認し、変更対象であったネットワーク機器の設定情報の変更完了を通知する変更完了パケット（Ｈ）を作成し、管理端末１０４へ送信する（Ｓ８）。
【００３５】
管理端末１０４は、変更完了パケット（Ｇ）を受信すると、取得した設定情報一覧に変更完了したことを反映させる（Ｓ９）。
【００３６】
なお、ここで設定情報変更処理を完了しても良いが、信頼性のため、好ましくは以下の処理も実行する。
設定情報の変更が完了すると、管理端末１０４は、再度Ｓ１〜Ｓ４の処理を繰り返す。これにより、設定情報変更後の現状の設定情報を把握することで、本当に正しく設定情報が変更できたかを確認することができる。
【００３７】
以上の方法は、ネットワーク機器の増設や交換の際にも同様に適用することで、ネットワーク機器の設定情報の把握・変更が可能となる。
【００３８】
以上の処理により、異なるサブネットに属するネットワーク機器の設定情報を把握・変更して通信することができるようになり、管理端末において、各種情報の一元設定やネットワーク端末機器の増設時等の場合における全体管理を簡単化することができる。
【００３９】
他の実施例として、Ｓ５〜Ｓ７の変更処理を、複数台の機器分一括して行うこともできる。
オペレータは管理端末１０４に付属するマウスやキーボード（図示せず）を用いて、変更したい項目、ここではネットワーク機器１０２のＩＰアドレスを例えば「１９２．１６８．０．２」と入力し、対応するセットアップボタンを押下する。また、ネットワーク機器１０３のＩＰアドレスを「１９２．１６８．０．１０１」と入力し、対応するセットアップボタンを押下する。そして、全ての変更すべき項目の入力が完了したら、例えば実行ボタン（図示せず）を押下する等の入力処理を行うことで、管理端末１０４内で、ネットワーク機器１０２とネットワーク機器１０３の設定情報を変更するための変更命令パケット（Ｅ）が作成され、ネットワーク機器１０１に向けて送信される（Ｓ５）。
【００４０】
ネットワーク機器１０１は、変更命令パケット（Ｅ）を受信すると、受信パケット内のコマンドをチェックし、自身のサポートする変更コマンドであることを確認し、変更パケット（Ｆ）を作成して、ネットワーク機器１０２およびネットワーク機器１０３へ送信する（Ｓ６）。このとき、ＩＰアドレスが重複しているためにＩＰアドレスを指定して送信することができたいことがあるため、ＭＡＣアドレスを指定してデータリンク層の通信を用いて送信すると良い。
【００４１】
ネットワーク機器１０１から変更パケット（Ｆ）がブロードキャストまたはマルチキャストで送信され、ネットワーク機器１０２〜１ｎに変更パケット（Ｆ）が到達するが、各ネットワーク機器は自身の機器情報と応答パケットの内容を照会し、対象となる機器対象であればこれを受信して次の処理を開始し、対象となる機器でなければこれを破棄する。また、ここでは、変更対象となるネットワーク機器にのみ、それぞれに対してユニキャストで送信されても良い。
【００４２】
ネットワーク機器１０２およびネットワーク機器１０３は、変更パケット（Ｆ）を受信すると、受信パケットの内容をチェックし、自身のサポートするデータフォーマットであることを確認し、自身のＩＰアドレスをそれぞれ「１９２．１６８．０．２」、「１９２．１６８．０．１０１」に変更し、設定情報の変更が完了したことを通知する変更完了パケット（Ｇ）を作成し、ネットワーク機器１０１に送信する。ここでも、変更対象となるネットワーク機器が複数になるほど、変更完了パケット（Ｇ）の返信間隔は、ランダムな期間がその都度設定される様にした方が良い。
【００４３】
ネットワーク機器１０１は、変更完了パケット（Ｇ）を受信すると、受信パケットの内容をチェックし、自身のサポートするデータフォーマットであることを確認し、変更対象であったネットワーク機器の設定情報の変更完了を通知する変更完了パケット（Ｈ）を作成し、管理端末１０４へ送信する（Ｓ８）。
【００４４】
管理端末１０４は、変更完了パケット（Ｇ）を受信すると、取得した設定情報一覧に変更完了したことを反映させる（Ｓ９）。
【００４５】
なお、ここで設定情報変更処理を完了しても良いが、信頼性のため、好ましくは以下の処理も実行する。
【００４６】
設定情報の変更が完了すると、管理端末１０４は、再度Ｓ１〜Ｓ４の処理を繰り返して、設定情報変更後の現状の設定情報を把握することで、本当に正しく設定情報が変更できたかを確認することができる。
【００４７】
以上の処理により、複数のネットワーク機器の設定情報を同時に変更することが可能となる。
【００４８】
つまり、管理端末からサブネットの異なるネットワーク機器の設定情報把握・変更のために、設定情報の判明しているネットワーク機器を介して他のネットワーク機器の設定情報を通知させ、設定情報の変更命令を出す。
【００４９】
また、ネットワーク機器１０１からの探索パケット（Ｂ）の送信は、１回だけでなく数回試行をすることが好ましく、複数回の試行結果に差異がある場合、さらに複数回の試行をする拡張的なオプション動作をさせても良い。このとき、ネットワーク機器１０２〜１ｎが探索パケット（Ｂ）を受信してから応答パケット（Ｃ）を送信するまでのランダムに設定される期間の最大値を上回る間隔で、次の探索パケット（Ｂ）を送信する。これは、複数回の試行結果を比較するという目的から、ネットワーク機器１０２〜１ｎに応答パケット（Ｃ）を送信させて試行結果を得る前に次の探索パケット（Ｂ）を受信して応答パケット（Ｃ）を再度作成しなければいけない状況を防ぐためである。
【００５０】
また、この通信方法を利用して、管理端末１０４からの指示により、ネットワーク機器１０１の設定情報（ＩＰアドレス、ＭＡＣアドレス、機器ＩＤ（例えば機器の種類や型番、シリアルナンバー等）等を除く）を他のネットワーク機器にコピーすることもできる。例えば、ネットワーク機器１０１がカメラであり、出力する映像フォーマットや画質、フレームレート、通信方法等の設定情報を、同一サブネット１０内の他のカメラに対して同一の設定を適用することができる。
【００５１】
また、ネットワーク機器１０１〜１０３の設定情報をそれぞれに共有させることで、どのネットワーク機器にアクセスしても、そこから他のネットワーク機器へアクセスできる。例えば、ネットワーク機器にアクセスするだけで映像を呼び出せる切り換え機能を利用する場合、いずれのネットワーク機器にアクセスしても、他のネットワーク機器の設定情報が格納されているため、他のネットワーク機器の映像や制御情報を呼び出すことができる。
【００５２】
以上の様にネットワークが正しく構築されることで、カメラで撮像した画像を記録装置や表示端末等に送信したり、管理端末から各装置を遠隔制御したりといったネットワーク映像監視システムが正常に運用できる様になる。
【００５３】
なお、本発明は上記各実施形態に限定されるものではない。例えば、上記実施形態では、ネットワーク映像監視機器の場合で説明したが、これに限定されるものではなく、この他にも企業内ネットワークであったり、印刷装置（プリンタ）のネットワークであったり、様々なネットワークシステムに適用することができる。
【００５４】
要するに本発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【符号の説明】
【００５５】
１０，１１，２０，２１：サブネット、１０１，１０２，・・・，１ｎ，２０１，２０２，・・・，２ｎ：ネットワーク機器、１０３，２０３：ネットワーク、１０４，２０４：管理端末、１１０，２１０：ネットワーク機器の設定情報。
【図１】
0005645685.tif 000002
【図２】
0005645685.tif 000003
【図３】
0005645685.tif 000004
【図４】
0005645685.tif 000005